(57)【要約】【課題】  壁と室内機との間の隙間を小さくするエアコンキャップ、およびそのエアコンキャップを用いて隙間を小さくして設置されるエアコンを提供する。【解決手段】  エアコンキャップ１は、筒体２と、蓋体３とを備えたエアコンキャップであって、筒体２は、建物の壁９に設けたエアコン取り付け用の貫通孔９ａに取り付けられるものであり、蓋体３は、筒体２に着脱自在に螺合され、筒体２の外周で室内側壁面に当接する鍔部３３を有する。【選択図】図１
0003207364.tif 000002
【実用新案登録請求の範囲】
【請求項１】
筒体と、蓋体とを備えたエアコンキャップであって、前記筒体は、建物の壁に設けたエアコン取り付け用の貫通孔に取り付けられるものであり、前記蓋体は、前記筒体に着脱自在に螺合され、当該筒体の外周で室内側壁面に当接する鍔部を有することを特徴とするエアコンキャップ。
【請求項２】
前記筒体は、室内側端部に、室内側壁面と係合するストッパー部を有することを特徴とする請求項１に記載のエアコンキャップ。
【請求項３】
前記筒体は、前記ストッパー部の近傍に周方向の溝が蛇腹状に形成されていることを特徴とする請求項１または２に記載のエアコンキャップ。
【請求項４】
請求項１から３のいずれか一項に記載のエアコンキャップの蓋体をはずした状態で、建物の室内に配置された室内機と、建物の室外に配置された室外機とが、筒体内に配置された配管で接続されていることを特徴とするエアコン。
【考案の詳細な説明】
【技術分野】
【０００１】
本考案は、エアコンキャップおよびエアコンに関する。
【背景技術】
【０００２】
従来のエアコンキャップは、図５（ａ）に示すような、建物の壁９に設けたエアコン取り付け用の貫通孔に取り付けられる筒体１０２と、筒体１０２に取り付けられる蓋体１０３とを備えている。筒体１０２には、室内側端部に、外周に張り出した鍔部１０２ａが設けられている。
【０００３】
エアコンを設置する際には、図５（ｂ）に示すように、蓋体１０３は外して筒体１０２は貫通孔に残した状態で、据付板４を介在させて、室内壁面にエアコンの室内機５を取り付け、筒体１０２内には配管７やドレインパイプ８等を通している。
【先行技術文献】
【特許文献】
【０００４】
【特許文献１】なし
【考案の概要】
【考案が解決しようとする課題】
【０００５】
近時、壁に取り付けるエアコンの室内機は、例えば室内機の突出を小さくして圧迫感を低減したり、意匠性を高めたりすることが求められている。
【０００６】
しかし、従来のエアコンキャップは、図５に示すように、筒体１０２に設けた鍔部１０２ａが室内壁面から突出している為、図５（ｂ）に示すように、筒体１０２を残して室内機５を取り付ける際に、突出した鍔部１０２ａの厚みによって、壁９と室内機５との間の隙間（Ｗ１）が大きくなってしまう。
【０００７】
そこで、本考案は、壁と室内機との間の隙間を小さくできるエアコンキャップ、およびそのエアコンキャップを用いて設置されるエアコンを提供することを目的とする。
【課題を解決するための手段】
【０００８】
請求項１に記載の考案は、筒体と、蓋体とを備えたエアコンキャップであって、前記筒体は、建物の壁に設けたエアコン取り付け用の貫通孔に取り付けられるものであり、前記蓋体は、前記筒体に着脱自在に螺合され、前記筒体の外周で室内側壁面に当接する鍔部を有することを特徴とするエアコンキャップである。
【０００９】
請求項２に記載の考案は、請求項１に記載の考案において、室内側端部に室内側壁面と係合するストッパー部を有することを特徴とする。
【００１０】
請求項３に記載の考案は、請求項１または２に記載の考案において、ストッパー部の近傍に周方向の溝が蛇腹状に形成されていることを特徴とする。
【００１１】
請求項４に記載の考案は、請求項１から３のいずれか一項に記載のエアコンキャップの蓋体をはずした状態で、建物の室内に配置された室内機と、建物の室外に配置された室外機とが、筒体内に配置された配管で接続されていることを特徴とするエアコンである。
【考案の効果】
【００１２】
請求項１に記載の考案によれば、蓋体に鍔部を設けることによって、建物の壁に設けたエアコン取り付け用の貫通孔に筒体を残してエアコンを取り付ける際に、筒体には鍔部が無いため、室内機と壁面との間の隙間を小さくできる。
【００１３】
請求項２に記載の考案によれば、請求項１に記載の効果を奏することができると共に、
筒体の室内側端部に、室内側壁面と係合するストッパー部を有するので、建物の壁に設けたエアコン取り付け用の貫通孔に筒体を装着するときに、筒体全体が入り込まないように装着できる。
【００１４】
請求項３に記載の考案によれば、請求項１または２に記載の効果を奏することができるとともに、ストッパー部の近傍に周方向の溝が蛇腹状に形成されているので、エアコン取り付け用の貫通孔内に、勾配を設けるようにして装着できる。
【００１５】
請求項４に記載の考案によれば、請求項１から３のいずれか一項に記載の効果を奏することができるエアコンを提供できる。
【図面の簡単な説明】
【００１６】
【図１】本考案の第１実施の形態に係るエアコンキャップの分解斜視図である。
【図２】（ａ）は、図１に示すエアコンキャップを建物のエアコン取り付け用の貫通孔に装着した状態を示す縦断面図であり、（ｂ）は、（ａ）の状態から、蓋体を取り外し、室内機を取り付けた状態を示す縦断面図である。
【図３】図１に示すエアコンキャップを用いて施工したエアコンの取り付け状態を示す縦断面図である。
【図４】（ａ）は、本考案の第２実施の形態に係るエアコンキャップの分解斜視図であり、（ｂ）は、エアコンキャップの筒体を、壁に取り付けた状態において、壁の室内側端部を抜き出して示す縦断面図である。
【図５】従来のエアコンキャップを示す図であり、（ａ）は当該エアコンキャップを建物のエアコン取り付け用の貫通孔に装着した状態を示す縦断面図であり、（ｂ）は（ａ）の状態から蓋体を取り外し、室内機を取り付けた状態を示す縦断面図である。
【考案を実施するための形態】
【００１７】
以下に添付図面の図１〜図４を参照して本考案の実施形態を詳細に説明するが、まず、図１〜図３を参照して第１実施の形態について説明する。
【００１８】
図１および図２に示すように、第１実施の形態に係るエアコンキャップ１は、筒体２と蓋体３とから構成されている。筒体２は、建物の壁９に設けたエアコン取り付け用の貫通孔９ａに取り付けられている。蓋体３は、筒体２に着脱自在に螺合されている。
【００１９】
筒体２には、室内側端部の外周に突出するストッパー部２１が設けてあり、このストッパー部２１は、貫通孔９ａの室内側で建物の室内壁面に当接するようになっている。ストッパー部２１の厚さは、例えば、約１〜５ｍｍである。
【００２０】
筒体２の室内側端面には、内周側にパッキン２２が設けられている。パッキン２２は、筒体２の内径よりも大きく、ストッパー部２１の外径よりも小さくして設けられている。パッキン２２は、筒体２と蓋体３、もしくは筒体２と室内機５を密着させている。
【００２１】
筒体２の内周面には、雌ネジ２３が形成されており、蓋体３と着脱自在に螺合するようになっている。
【００２２】
蓋体３は、本体部３１と装着部３２とを有し、本体部３１には外周に筒体２のストッパー部２１を覆う鍔部３３が形成されている。
【００２３】
鍔部３３は、壁９の室内側で、筒体２の外周を越えて室内側壁面に当接している。
【００２４】
装着部３２には、筒体２の雌ネジ２３に螺合する雄ネジ３４が形成されている。
【００２５】
筒体２および蓋体３は、ともにポリアミド、アクリロニトリルブタジエンスチレン等の樹脂製であるが、これらに限定されるものではない。
【００２６】
次に、第１実施の形態に係るエアコンキャップ１の使用方法、作用及び効果について説明する。
【００２７】
エアコンキャップ１を使用するときには、図２（ａ）に示すように、建物の壁９に設けたエアコン取り付け用の貫通孔９ａに、室内側から筒体２を挿入する。そして、その筒体２に蓋体３を螺合して取り付ける。このようにして、エアコンが未設置である場合には、エアコンキャップ１は、壁に設けられた貫通孔９ａを塞いでいる。そして、筒体２と蓋体３とは螺合した状態で取り付けられている。
【００２８】
エアコンを取り付けるときには、図２（ｂ）または図３に示すように、蓋体３をはずし、筒体２を貫通孔９ａに残した状態とし、筒体２の室内側に室内機５を取り付け、建物の室外に配置された室外機６に筒体２内に配置した配管７およびドレインパイプ８等で接続する。
【００２９】
室内機５および室外機６は、筒体２内を通して、配管７、ドレインパイプ８、電気的配線等で接続されている。
【００３０】
本実施の形態によれば、室内側に取り付けられている筒体２は、従来のエアコンキャップによる隙間（例えば、図５（ｂ）のＷ１）と比べて、従来技術のような鍔部を有さないため、室内機と室内側内壁との隙間（例えば、図２（ｂ）のＷ２）を小さくできる。
【００３１】
本実施の形態によれば、筒体２を壁に装着するときに、筒体２は、貫通孔に挿入されるが、自身の室内側端部にストッパー部２１が設けられており、それが室内側壁面と係合するので、筒体２の全てが、貫通孔に入り込んでしまうのを防止する。
【００３２】
以下に本考案の他の実施の形態を説明するが、以下に説明する実施の形態において上述した第１実施の形態と同一の作用効果を奏する部分には同一の符号を付することによりその部分の詳細な説明を省略し、以下の説明では第１実施の形態と主に異なる点を説明する。
【００３３】
図４に示すように、本考案の第２実施の形態にかかるエアコンキャップ１は、筒体２と、筒体２の一方側および他方側に設けた蓋体３とから構成されている。この第２実施の形態では、壁９に設けられているエアコン取り付け用の貫通孔９ａに、勾配のついたスリーブ管４０を装着してある。筒体２は、スリーブ管４０内を通し、勾配をつけるようにして取り付けられている。
【００３４】
筒体２の内周面には、第１実施の形態の雌ネジ２３に代えて、凸条２４が形成され、周方向に間隔をあけて複数個設けてある。
【００３５】
筒体２において、ストッパー部２１の近傍および室外側端部には、それぞれ周方向の溝により蛇腹状の凹凸部２５が形成されている。蛇腹状の凹凸部２５により、ストッパー部２１は上下左右に変形自在としてある。
【００３６】
蓋体３の装着部３２には、第１実施の形態の雄ネジ３４に代えて、外周に向けて突設した嵌合部３５が形成されている。嵌合部３５は、周方向に間隔をあけて複数個設けている。
【００３７】
本実施の形態によれば、蓋体３の嵌合部３５を、筒体２の隣り合う凸条２４間を通すようにして、蓋体３を筒体２に挿入し、蓋体３を例えば１／４回転回して嵌合する。
【００３８】
本実施の形態によれば、蛇腹状の凹凸部２５を有しているため、図４の（ｂ）に示すように、蛇腹状の凹凸部２５の一部（上部）を伸ばし、他部（下部）を縮ませるように変形することによってスリーブ管４０による勾配があっても、ストッパー部２１が室内壁面に係合するようにして、エアコン取り付け用の貫通孔に装着できる。
【００３９】
本実施の形態によれば、筒体２の室外側端部にある蛇腹状の凹凸部２５は、必要に応じて、蛇腹状の凹凸部２５を伸縮するように変形させることによって室外側の端面を揃えることができる。
【００４０】
本考案は、上述した実施形態に限らず、本考案の要旨を逸脱しない範囲で種々に変形可能である。
【００４１】
例えば、第１実施の形態において、蓋体３の装着部３２に設けられる雄ネジ３４と、筒体２に設けられる雌ネジ２３とを、蓋体３に雌ネジを設け、筒体２に雄ネジを設けるようにして、筒体２と蓋体３とを着脱自在にしてもよい。
【００４２】
第１実施および第２実施の形態において、筒体２および蓋体３は、アルミニウム、真ちゅう、ステンレス鋼等の金属製であってもよい。
【００４３】
第２実施の形態において、蓋体３は、筒体２の室外側には設けず、室内側の一方のみに設けてもよい。
【００４４】
また、第２実施の形態において、筒体２の蛇腹状の凹凸部２５は、室外側端部には設けずにストッパー部２１の近傍にだけ設けてもよい。
【符号の説明】
【００４５】
１…エアコンキャップ、２…筒体、３…蓋体、５…室内機、６…室外機、９…壁、９ａ…貫通孔、２１…ストッパー部、２２…パッキン、２３…雌ネジ、２４…凸条、２５…蛇腹状の凹凸部、３１…本体部、３２…装着部、３３…鍔部、３４…雄ネジ、３５…嵌合部、Ｗ１，Ｗ２…壁と室内機との間の隙間。
【図１】
0003207364.tif 000003
【図２】
0003207364.tif 000004
【図３】
0003207364.tif 000005
【図４】
0003207364.tif 000006
【図５】
0003207364.tif 000007
【手続補正書】
【提出日】平成28年9月12日(2016.9.12)
【手続補正１】
【補正対象書類名】実用新案登録請求の範囲
【補正対象項目名】請求項３
【補正方法】変更
【補正の内容】
【請求項３】
前記筒体は、前記ストッパー部の近傍に周方向の溝が蛇腹状に形成されていることを特徴とする請求項２に記載のエアコンキャップ。